(57)【要約】  有価書類（９）殊に銀行券のための偽造防止手段（８）であって、第１の領域（１）内に第１の物体色（５１）が施されていて、発光領域（３）内に印刷インキ（５３）特に昼光色が施されており、この場合、印刷インキ（５３）が、ヨーロッパスケール又はＤＩＮスケールに従って４色刷り印刷機の複写色空間外に配置されている形式のものにおいて、第１のオーバーラップ領域（１３）内に第１の物体色（５１）と印刷インキ（５３）との第１の混合色（５４）が形成されており、該第１の混合色（５４）が、複写色空間外に又は複写色空間の縁部領域内に配置されている。
2008513235.tif 000002
【特許請求の範囲】
【請求項１】
有価書類（９）殊に銀行券のための偽造防止手段（８）であって、第１の領域（１）内に第１の物体色（５１）が施されていて、発光領域（３）内に印刷インキ（５３）殊に昼光インキが施されており、前記印刷インキ（５３）が、ヨーロッパスケール又はＤＩＮスケールに従って４色刷り印刷機の複写色空間外に配置されている形式のものにおいて、
第１のオーバーラップ領域（１３）内に第１の物体色（５１）と印刷インキ（５３）との第１の混合色（５４）が形成されており、該第１の混合色（５４）が、複写色空間外に又は複写色空間の縁部領域内に配置されていることを特徴とする、有価書類のための偽造防止手段。
【請求項２】
第１のオーバーラップ領域（１３）が、第１の領域（１）に隣接し、かつ発光領域（３）に隣接して配置されている、請求項１記載の偽造防止手段。
【請求項３】
基本調整がなされている複写機によってカラーコピーする際に、印刷インキ（５３）及び第１の混合色（５４）が、少なくとも３よりも少なく、有利には２よりも少なく、特に１よりも少ない色間隔評価Delta Eを伴って再現され、この場合、基本調整において、複写色空間内での色と、カラーコピーにおける色との平均的なずれが可能な限り小さい、請求項１又は２記載の偽造防止手段。
【請求項４】
第１の混合色（５４）の反射特性曲線の最大値が、第１の物体色（５１）の反射特性曲線の最大値よりも大きい、請求項１から３までのいずれか１項記載の偽造防止手段。
【請求項５】
第１の混合色（５４）の反射特性曲線の強さが最大で、９０％より大きく、有利には９５％より大きく、特に１００％よりも大きい、請求項１から４までのいずれか１項記載の偽造防止手段。
【請求項６】
第２の領域（２）内に第２の物体色（５２）が施されており、第２のオーバーラップ領域（２３）内に、第２の物体色（５２）と印刷インキ（５３）との第２の混合色（５５）が形成されており、第２の混合色（５５）が複写色空間外に配置されている、請求項１から５までのいずれか１項記載の偽造防止手段。
【請求項７】
第２のオーバーラップ領域（２３）が、第２の領域（２）に隣接し、かつ発光領域（３）に隣接して配置されている、請求項６記載の偽造防止手段。
【請求項８】
基本調整がなされている複写機によってカラーコピーを行う際に、印刷インキ（５３）及び第２の混合色（５５）が、少なくとも３よりも少なく、有利には２よりも少なく、特に１よりも少ない色間隔評価Delta Eを伴って再現される、請求項６又は７記載の偽造防止手段。
【請求項９】
第２の混合色（５５）の反射特性曲線の最大値が、第２の物体色（５２）の反射特性曲線の最大値よりも大きい、請求項６から８までのいずれか１項記載の偽造防止手段。
【請求項１０】
第２の混合色（５５）の反射特性曲線の強さが最大で、９０％よりも大きく、有利には９５％よりも大きく、特に１００％よりも大きい、請求項６から９までのいずれか１項記載の偽造防止手段。
【請求項１１】
前記複数の物体色（５１，５２）のうちの一方が他方よりも、第１の原色の配分が多く、第２の原色の配分が少なく、この場合、印刷インキ（５３）において第３の原色の配分が、第１の原色及び第２の原色の配分よりも少なく、第１の原色と、第２の原色と、第３の原色とが、赤、緑及び青の原色の量から選択されている、請求項６から１０までのいずれか１項記載の偽造防止手段。
【請求項１２】
第１の物体色（５１）が、第２の物体色（５２）のほぼ補色である、請求項６から１１記載の偽造防止手段。
【請求項１３】
請求項１から１２までのいずれか１項記載の偽造防止手段（８）を備えていることを特徴とする、有価書類（９）殊に銀行券。
【発明の詳細な説明】
【技術分野】
【０００１】
本発明は、有価書類特に銀行券のための偽造防止手段（偽造防止模様、偽造防止特徴）に関する。この場合、第１の領域内に第１の物体色が施され、発光領域にインキ特に昼光インキが施される。インキは、ヨーロッパスケール（Europa-Skala）又はＤＩＮスケール（DIN-Skala）に従って４色刷りの複写色空間外に配置されている。
【０００２】
偽造を困難にし、かつ有価書類の真性確認試験のために使用される偽造防止手段を備えた有価書類は公知である。カラー複写機を用いて特に簡単に偽造することができ、この場合、真性品に対する偽造品の差は、カラー複写機の高められた分解能及び改善されたインキ調合に基づいて、小さくなっており、従って従来のカラー複写機によって再現（複製）ができない新たな偽造防止手段を開発することが望まれている。
【０００３】
ヨーロッパ特許第０６０３１１７号明細書によれば、従来のカラー複写機で使用されたトナーとはできるだけ大きく異なっている着色剤を印刷インキとして使用し、それによって真性の（オリジナルな）ものとカラーコピーとの間の色差を得られるようにすることが公知である。この場合、蛍光効果のある着色剤を使用することも提案されている。しかしながら、このような偽造防止手段は、だれでも判断できるようにするには適していない、という欠点がある。何故ならば、偽造を確実に判断するためには、真性の有価書類と比較する必要があるからである。所定の照明手段を用いてのみ色差が発生するようにした場合、このような照明手段の製造はしばしば非常に費用がかかる。
【０００４】
そこで本発明の課題は、冒頭に述べた形式の偽造防止手段を改良して、公知の欠点が避けられ、特にカラーコピー又はスキャナーを用いた偽造品を高い確率で防止することができるようなものを提供することである。本発明の別の課題は、色覚異常の人も偽造を簡単に識別出来るようにすることである。
【０００５】
この課題を解決した本発明によれば、第１のオーバーラップ領域内に第１の物体色と印刷インキとの第１の混合色が形成されており、該第１の混合色が、複写色空間外に又は複写色空間の縁部領域内に配置されている。
【０００６】
これによって、真性の有価書類上における、第１のオーバーラップ領域と発光領域とが互いに識別可能に形成された第１の領域は、カラー複写機において本物に忠実に複写することはできず、第１のオーバーラップ領域と発光領域とはカラーコピーの際に重なって形成され、これらの領域の区別は、残りの領域にも関連するカラーコピーの強い色のひずみによってのみ得られる、という利点が提供される。これによって、カラーコピーは、真性の有価書類に対して簡単に識別することができる。さらに、印刷インキの蛍光性が別の偽造防止手段を形成しており、この場合、発光領域及び第１のオーバーラップ領域の種々異なる発光強さも、ＵＶ光線による照明の際に、有価書類が本物であることの正しさを証明するために使用することができる。
【０００７】
本発明の実施態様によれば、第１のオーバーラップ領域が、第１の領域に隣接し、かつ発光領域に隣接して配置されている。これによって、これらの領域内で色の違いを容易に検出することができる。
【０００８】
本発明の別の実施態様によれば、基本調整がなされているカラー複写機によってカラーコピーする際に、印刷インキ及び第１の混合色が、少なくとも３よりも少なく、有利には２よりも少なく、特に１よりも少ない色間隔評価Delta Eを伴って再現され、この場合、基本調整において、複写色空間内での色と、カラーコピーにおける色との平均的なずれが可能な限り小さい。これによって、基本調整がなされたカラーコピーにおいて印刷インキと第１の混合色との調合が十分に合致し、ひいてはコントラストがなくなることによってカラーコピーが簡単に偽造品であることが検出される。
【０００９】
本発明の別の実施態様によれば、第１の混合色の反射特性曲線の最大値が、第１の物体色の反射特性曲線の最大値よりも大きくなっている。これによって、偽造防止手段の高いコピーガードを得ることができる。
【００１０】
本発明の実施態様によれば、第１の混合色の反射特性曲線の強さが最大で、９０％より大きく、有利には９５％より大きく、特に１００％よりも大きい。このような強さにおいて、印刷インキの蛍光特性を、第１の混合色においても確実に発生させることができる。
【００１１】
本発明の別の実施態様によれば、第２の領域内に第２の物体色が施されており、第２のオーバーラップ領域内に、第２の物体色と印刷インキとの第２の混合色が形成されており、第２の混合色が複写色空間外に配置されている。第２の混合色を提供することによって、本発明による偽造防止手段のコピーガードはさらに高められる。
【００１２】
この関連性において、本発明の別の実施態様によれば、第２のオーバーラップ領域が、第２の領域に隣接し、かつ発光領域に隣接して配置されており、これによって、種々異なる領域における色の違い特に簡単に検出可能である。
【００１３】
本発明の別の実施態様によれば、基本調整がなされている複写機によってカラーコピーを行う際に、印刷インキ及び第２の混合色が、少なくとも３よりも少なく、有利には２よりも少なく、特に１よりも少ない色間隔評価Delta Eを伴って再現される。これによって、基本調整がなされているカラーコピーにおいて、印刷インキと第２の混合色との調合が十分に合致して、それによってコントラストがなくなることに基づいて、偽造品であることが簡単に識別できるようになっている。
【００１４】
本発明の別の実施態様によれば、第２の混合色の反射特性曲線の最大値が、第２の物体色の反射特性曲線の最大値よりも大きい。これによって、偽造防止手段の高いコピーガードが得られる。
【００１５】
本発明の実施態様によれば、第２の混合色の反射特性曲線の大きさが最大で、９０％よりも大きく、有利には９５％よりも大きく、特に１００％よりも大きい。このような大きさにおいて、印刷インキの蛍光特性は、第１の混合色においても発生する。
【００１６】
本発明の別の実施態様によれば、物体色のうちの一方が他方よりも、第１の原色の配分が多く、第２の原色の配分が少なく、この場合、印刷インキにおいて第３の原色の配分が、第１の原色及び第２の原色の配分よりも少なく、第１の原色と、第２の原色と、第３の原色とが、赤、緑及び青の原色の量から選択されている。これによって、色覚異常の人、も、偽造防止手段が本物であることの識別を簡単にすることができ、例えば赤緑色覚異常の人のためには黄色の印刷インキを使用して簡単に識別することができる。さらにまた、複写機の調整を変えた場合にも、第１のオーバーラップ領域、発光領域及び第２のオーバーラップ領域のための異なる調合は避けられ、これによってカラーコピーは簡単に偽造を識別することができる。
【００１７】
本発明の変化実施例によれば、第１の物体色が第２の物体色のほぼ補色である。補色を使用することによって、特に高いコピーガードが得られる。何故ならば、カラー複写機の調整を変えることによって、物体色に様々な作用が働き、印刷インキとの第１の混合色のコントラストが変わることによって、印刷インキとの第２の混合色のコントラストが劣化するからである。本発明はまた、有価書類特に銀行券に関するものである。
【００１８】
本発明の課題は、冒頭に述べた形式の有価書類を改良して、前記公知の欠点が避けられ、カラーコピーに対する高い偽造防止が得られるようにすることである。
【００１９】
本発明によればこの課題は、上記偽造防止手段によって解決された。
【００２０】
本発明は、以下に図示の実施例を用いて詳しく説明する。
【００２１】
図１は、本発明による偽造防止手段の実施例、
図２は、基本調整されたカラー複写機における、図１に示した偽造防止手段のカラーコピー、
図３は、寒色に調整されたカラー複写機における、図１に示した偽造防止手段のカラーコピー
図４は、暖色に調整されたカラー複写機における、図１に示した偽造防止手段のカラーコピー、
図５は、図１に示した偽造防止手段の色の見える範囲内の反射特性曲線、
図６は、本発明による有価書類を示す。
【００２２】
図１には、有価書類９のための本発明による偽造防止手段の実施例が示されている。有価書類９は、図６に示されているように特に銀行券である。別の実施例では、有価書類は、有価証券、証書、契約書又はその他の有価書類であってよい。偽造防止手段８は、第１の範囲１内で第１の物体色５１を有していて、発光領域３で印刷インキ５３を有しており、この場合、印刷インキ５３は、ヨーロッパスケール又はＤＩＮスケールによる４色刷りの複写色空間外に配置されている。物体色５１は、原色であるか、又は種々異なるインキを調合した色である。同様に、印刷インキ５３は種々異なるインキを調合したものであってよい。
【００２３】
複写色空間は、４色刷りの際に使用されたインキから得られ、ＤＩＮ１６５３８又はＤＩＮ１６５３３０９によるヨーロッパスケールに関するものであり、またＤＩＮ１６５０８及びＤＩＮ１６５０９に関するものである。
【００２４】
印刷インキ５３は、特に昼光色であってよい。昼光色とは、紫外線照射特にスペクトルの可視領域内で集中的に発光する蛍光色である。これらの色は、例えば可視領域の他に、昼光（デイライト）の紫外線放射も評価する。この場合、昼光色は、この２重の色効果によって、すべての色のうちの最も輝いている色に属している。別の実施例では、印刷インキ５３は、特殊効果インキを有しており、この場合特に干渉顔料（Interferenzpigment）、液晶色又は真珠光沢顔料が設けられる。印刷インキ５３は、昼光色と特殊効果インキとを調合したものであってもよい。
【００２５】
本明細書においては、色空間とはCIELab-Systemのことであり、色間隔評価Delta EとはCIELab-Systemにおける色差のことである。従って、複写色空間は、CIELab-System内の色空間であり、この色空間は、ヨーロッパスケール又はＤＩＮスケールで定められた４色刷りのための色によって規定されている。カラープリント（色刷り）のインキは、減法混色によって生ぜしめられる。
【００２６】
第１のオーバーラップ領域１３内で、第１の物体色５１と印刷インキ５３との混合色５４が形成され、この場合、第１の混合色５４は、複写色空間外に、又は複写色空間の縁部範囲内にある。オーバーラップ領域１３と第１の混合色とは、簡単な形式で、第１の物体色５１の一部の上に印刷インキ５３が重ね刷りされることによって、形成される。別の実施例では、印刷インキ５３上にも、第１の物体色５１が重ね刷りされる。この場合、第１のオーバーラップ領域１３は、第１の領域１及び発光領域３に隣接して配置されていて、それによってこれらの領域の色差を簡単に規定することができる。
【００２７】
最初から印刷インキ５３が第１の混合色５４と異なっていれば、良好なコピーガードが得られる。基本調整された複写機によるカラープリントの際に、印刷インキ５３と第１の混合色５４とが、３よりも少ない、有利には２よりも少ない、特に１よりも少ない色間隔評価Delta Eを伴って再現される。この場合、基本調整とは、複写色空間内での色と、カラーコピーにおける色との平均的なずれができるだけ小さい、カラー複写機の標準調節のことである。
【００２８】
基本調節の他に、複写機は一般的な形式で、調合の際のインキの付加的な秤量が行われる調節「寒」若しくは「暖」にも調節される。
【００２９】
図５には、偽造防止手段８のインキの可視領域内における反射特性曲線が示されている。可視領域内における第１の物体色５１の強さ（Intensitaet）が印刷インキ５３の強さをほぼ下回っていて、強さの小さい方の領域内の下回り程度が問題にならない程度に僅かであれば、印刷インキ５３と第１の混合インキ５４とのほぼ同じ混合が、簡単に得られる。
【００３０】
第１の混合色５４の反射特性曲線の最大値が、第１の物体色５１の反射特性曲線の最大値よりも大きい場合、これは判断基準として重要である。さらに、第１の混合色５４の反射特性曲線の強さが最大で９０％よりも大きく、有利には９５％よりも大きく、特に１００％よりも大きければ、非常に好都合である。このような大きい強さは、印刷インキ５３の蛍光特性に基づいて得ることができる。
【００３１】
第２の領域２内に第２の物体色５２が施されていて、第２のオーバーラップ領域２３内に第２の物体色５２と印刷インキ５３との第２の混合色５５が形成されていて、この場合、第２の混合色が複写色空間外に配置されていれば、本発明による偽造防止手段８の信頼性は高められる。
【００３２】
第２の混合色５５は、第２の物体色５２の一部に印刷インキ５３を重ね刷りすることによって、簡単な形式で形成される。この場合、第２のオーバーラップ領域２３が、第２の領域２及び発光領域３に隣接して配置されていれば、有利である。
【００３３】
第２の物体色５２及び第２の混合色５５のためには、第１の物体色５１及び第１の混合色５４のための実施例が当てはまる。特に、第２の物体色５２の強さが、可視領域内で印刷インキ５３の強さをほぼ下回っていて、この場合、強さの小さい方の領域内の下回り程度が問題にならない程度に僅かであれば、特に好都合である。
【００３４】
基本調整されている複写機によるカラーコピーにおいて、印刷インキ５３及び第２の混合色５５が、３よりも小さい、有利には２よりも小さい、特に１よりも小さい色間隔評価Delta Eを伴って再現されるようになっていれば、良好にコピーガードが得られる。
【００３５】
この場合、第２の混合色５５の反射特性曲線の最大値が、第２の物体色５２の反射特性曲線の最大値よりも大きくなければならない。さらにまた、第２の混合色５５の反射特性曲線の強さが、最大で９０％よりも大きく、有利には９５％よりも大きく、特に１００％よりも大きければ好都合であることが分かった。このような大きい強さは、特に印刷インキ５３として昼光色を使用した場合、蛍光特性に基づいて簡単に得られる。
【００３６】
第１の物体色５１が第１の物体色５２のほぼ補色であれば、特に良好なコピーガードが得られる。これによって、偽造防止手段は、複写機の調整を変えた場合でも、カラーコピーが直ちにカラーコピーとして認識されないことによって、再現できないようになっている。混合色５４，５５のうちの一方と印刷インキ５３とのコントラストがより強くなるように調整されていれば、印刷インキ５３と混合色５４，５５のうちの他方とのコントラストは弱くなる。
【００３７】
物体色５１，５２のうちの一方が他方よりも、より多く配分された第１の原色及びより少なく配分された第２の原色を有していて、この場合、印刷インキ５３における第３の原色の配分が第１の原色及び第２の原色の配分よりも少なく、第１の原色、第２の原色及び第３の原色が、黄、緑、青の原色量から選択されていれば、良好な結果が得られることが分かった。赤及び緑の配分が多い、例えば黄色の昼光色が使用されている場合、これは、物体色５１，５２のうちの一方が他方よりも、より多量の緑色及びより少量の黄色を有している場合である。本発明による偽造防止手段を本発明に従ってカラーコピーする場合、第１のオーバーラップ領域１３、発光領域３及び場合によっては第２のオーバーラップ領域２３は、カラーコピーにおいて一体領域４として再現される。正常な人間の目は、オリジナル（真性）の偽造防止手段８において、発光領域３を、第１のオーバーラップ領域１３及び第２のオーバーラップ領域２３に対して識別することができる。この識別が、一体領域４の形成によって不可能である場合、そのカラーコピーは簡単かつ迅速に偽造されたものであることが分かる。このような形式のカラーコピーは、図２に概略的に示されている。カラーコピーの調整を変えることによって、インキの重さを変えることができ、これによって第１のオーバーラップ領域１３若しくは第２のオーバーラップ領域２３を可視に（目に見えるように）することができる。しかしながら、インキの重さを変えることによって、カラーコピーにおける有価書類９のその他のすべてのインキの再現を変えることもできる。これによって、カラーコピーは不自然に機能し、同様に簡単かつ迅速に偽造が判明する。図３には寒色が強調されているカラーコピーが概略的に示されていて、図４には暖色が強調されているカラーコピーが概略的に示されている。２つの物体色５１，５２間の間隔が十分であって、しかもカラー複写機の調整が変えられた場合でも、第１のオーラップ領域１３と第２のオーバーラップ領域２３と発光領域３とを、カラーコピー上で人間の目によって識別できることは、不可能であることが証明された。
【００３８】
この場合、発光領域３に対して、少なくとも第１のオーラップ領域１３又は第２のオーバーラップ領域２３を識別できる色覚異常の人も、これらの領域が異なる灰色の色調として認識されるようになっていれば、本発明による偽造防止手段によって、カラーコピーをオリジナルの有価書類９に対して識別するために、十分である。
【００３９】
本発明による偽造防止手段８の別の利点は、昼光色を印刷インキ５３として使用した場合、この昼光色がその蛍光特性に基づいて別の偽造防止手段を形成する、という点にある。この場合、蛍光性は、発光領域３内、第１のオーバーラップ領域１３内及び第２のオーバーラップ領域２３内においてそれぞれ異なる強さで現れるので、種々異なる濃度によって付加的な偽造防止手段が形成される。
【００４０】
物体色５１，５２を施すためには、特に間接的な凸版印刷又は湿式オフセット印刷が適しており、印刷インキ３を施すためには、特にスクリーン印刷、グラビア印刷又はフレキソ印刷が適している。
【００４１】
本発明による偽造防止手段８の利点は、事前にスキャニングした後で印刷した場合でも得られる。
【図面の簡単な説明】
【００４２】
【図１】本発明による偽造防止手段の実施例を示す概略図である。
【図２】基本調整されたカラー複写機における、図１に示した偽造防止手段のカラーコピーの概略図である。
【図３】寒色に調整されたカラー複写機における、図１に示した偽造防止手段のカラーコピーの概略図である。
【図４】暖色に調整されたカラー複写機における、図１に示した偽造防止手段のカラーコピーの概略図である。
【図５】図１に示した偽造防止手段の色の見える範囲内の反射特性曲線を示す線図である。
【図６】本発明による有価書類の概略図である。
【図１】
2008513235.tif 000003
【図２】
2008513235.tif 000004
【図３】
2008513235.tif 000005
【図４】
2008513235.tif 000006
【図５】
2008513235.tif 000007
【図６】
2008513235.tif 000008
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
有価書類（９）殊に銀行券のための偽造防止手段（８）であって、第１の領域（１）内に第１の物体色（５１）が施されていて、発光領域（３）内に印刷インキ（５３）殊に昼光インキが施されており、前記印刷インキ（５３）が、ヨーロッパスケール又はＤＩＮスケールに従って４色刷り印刷機の複写色空間外に配置されている形式のものにおいて、
第１のオーバーラップ領域（１３）内に第１の物体色（５１）と印刷インキ（５３）との第１の混合色（５４）が形成されており、該第１の混合色（５４）が、複写色空間外に又は複写色空間の縁部領域内に配置されていることを特徴とする、有価書類のための偽造防止手段。
【請求項２】
第１のオーバーラップ領域（１３）が、第１の領域（１）に隣接し、かつ発光領域（３）に隣接して配置されている、請求項１記載の偽造防止手段。
【請求項３】
複写色空間内の色と、カラーコピーにおける色との平均的なずれが可能な限り小さい、複写色空間内の再現において、印刷インキ（５３）の再現と、第１の混合色（５４）の再現とが、少なくとも３よりも少なく、有利には２よりも少なく、特に１よりも少ない色間隔評価Delta Eを有している、請求項１又は２記載の偽造防止手段。
【請求項４】
第１の混合色（５４）の反射特性曲線の最大値が、第１の物体色（５１）の反射特性曲線の最大値よりも大きい、請求項１から３までのいずれか１項記載の偽造防止手段。
【請求項５】
第１の混合色（５４）の反射特性曲線の強さが最大で、９０％より大きく、有利には９５％より大きく、特に１００％よりも大きい、請求項１から４までのいずれか１項記載の偽造防止手段。
【請求項６】
第２の領域（２）内に第２の物体色（５２）が施されており、第２のオーバーラップ領域（２３）内に、第２の物体色（５２）と印刷インキ（５３）との第２の混合色（５５）が形成されており、第２の混合色（５５）が複写色空間外に配置されている、請求項１から５までのいずれか１項記載の偽造防止手段。
【請求項７】
第２のオーバーラップ領域（２３）が、第２の領域（２）に隣接し、かつ発光領域（３）に隣接して配置されている、請求項６記載の偽造防止手段。
【請求項８】
複写色空間内の色と、カラーコピーにおける色との平均的なずれが可能な限り小さい、複写色空間内の再現において、印刷インキ（５３）の再現と、第２の混合色（５５）の再現とが、３よりも少なく、有利には２よりも少なく、特に１よりも少ない色間隔評価Delta Eを有している、請求項６又は７記載の偽造防止手段。
【請求項９】
第２の混合色（５５）の反射特性曲線の最大値が、第２の物体色（５２）の反射特性曲線の最大値よりも大きい、請求項６から８までのいずれか１項記載の偽造防止手段。
【請求項１０】
第２の混合色（５５）の反射特性曲線の強さが最大で、９０％よりも大きく、有利には９５％よりも大きく、特に１００％よりも大きい、請求項６から９までのいずれか１項記載の偽造防止手段。
【請求項１１】
前記複数の物体色（５１，５２）のうちの一方が他方よりも、第１の原色の配分が多く、第２の原色の配分が少なく、この場合、印刷インキ（５３）において第３の原色の配分が、第１の原色及び第２の原色の配分よりも少なく、第１の原色と、第２の原色と、第３の原色とが、赤、緑及び青の原色の量から選択されている、請求項６から１０までのいずれか１項記載の偽造防止手段。
【請求項１２】
第１の物体色（５１）が、第２の物体色（５２）のほぼ補色である、請求項６から１１記載の偽造防止手段。
【請求項１３】
請求項１から１２までのいずれか１項記載の偽造防止手段（８）を備えていることを特徴とする、有価書類（９）殊に銀行券。
【手続補正２】
【補正対象書類名】明細書
【補正対象項目名】０００３
【補正方法】変更
【補正の内容】
【０００３】
アメリカ合衆国特許第４０６６２８０号明細書によれば、第１の刷り込みと第２の刷り込みとを有する偽造防止手段について開示されており、この場合、第２の刷り込みは不透明であって、複写機によってコピーできないようになっている。またこの場合、第２の刷り込みは銀色より成っている。
ヨーロッパ特許第０６０３１１７号明細書によれば、従来のカラー複写機で使用されたトナーとはできるだけ大きく異なっている着色剤を印刷インキとして使用し、それによって真性の（オリジナルな）ものとカラーコピーとの間の色差を得られるようにすることが公知である。この場合、蛍光効果のある着色剤を使用することも提案されている。しかしながら、このような偽造防止手段は、だれでも判断できるようにするには適していない、という欠点がある。何故ならば、偽造を確実に判断するためには、真性の有価書類と比較する必要があるからである。所定の照明手段を用いてのみ色差が発生するようにした場合、このような照明手段の製造はしばしば非常に費用がかかる。
【手続補正３】
【補正対象書類名】明細書
【補正対象項目名】０００８
【補正方法】変更
【補正の内容】
【０００８】
本発明の別の実施態様によれば、複写色空間内の色と、カラーコピーにおける色との平均的なずれが可能な限り小さい、複写色空間内の再現において、印刷インキの再現と、第１の混合色の再現とが、少なくとも３よりも少なく、有利には２よりも少なく、特に１よりも少ない色間隔評価Delta Eを有している。本発明の別の実施態様によれば、基本調整がなされているカラー複写機によってカラーコピーする際に、印刷インキ及び第１の混合色が、少なくとも３よりも少なく、有利には２よりも少なく、特に１よりも少ない色間隔評価Delta Eを伴って反復再生され、この場合、基本調整において、複写色空間内での色と、カラーコピーにおける色との平均的なずれが可能な限り小さい。これによって、基本調整がなされたカラーコピーにおいて印刷インキと第１の混合色との調合が十分に合致し、ひいてはコントラストがなくなることによってカラーコピーが簡単に偽造品であることが検出される。
【手続補正４】
【補正対象書類名】明細書
【補正対象項目名】００１３
【補正方法】変更
【補正の内容】
【００１３】
本発明の別の実施態様によれば、複写色空間内の色と、カラーコピーにおける色との平均的なずれが可能な限り小さい、複写色空間内の再現において、印刷インキの再現と、第２の混合色の再現とが、３よりも少なく、有利には２よりも少なく、特に１よりも少ない色間隔評価Delta Eを有している。これによって、基本調整がなされているカラーコピーにおいて、印刷インキと第２の混合色との調合が十分に合致して、それによってコントラストがなくなることに基づいて、偽造品であることが簡単に識別できるようになっている。
【国際調査報告】
2008513235.tif 000009
2008513235.tif 000010
2008513235.tif 000011
2008513235.tif 000012
2008513235.tif 000013
2008513235.tif 000014